(57)【特許請求の範囲】
【請求項１】
暗証番号入力用のテンキーを有して、ドアの表面に取り付けられるフロント側ユニットと、
進退可能な施錠部材、該施錠部材の施錠解錠手段及びドア閉検知手段を有して、前記ドアの裏面に取り付けられるリア側ユニットと、
前記フロント側又はリア側ユニットに設けられて、装置全体を制御するマイクロコンピュータ付きの制御部とを備え、
前記ドア閉検知手段からの検知信号に基づいて、前記施錠解錠手段を作動させることにより、前記施錠部材を外部突出させて、ドア閉状態の前記ドアを自動的に施錠する自動ロック装置であって、
前記ドア閉検知手段が、前記ドアの側縁部に配設された発光部及び受光部を有する反射型の光センサであり、
また、少なくとも前記フロント側ユニットには解錠光信号受光部が設けられ、リモコンの解錠光信号発光部から前記解錠光信号受光部に向かって、特定の光信号を送ることにより、前記施錠解錠手段を作動させて、前記施錠部材の解錠操作を行ない、
前記フロント側ユニットは両面テープを用いて前記ドアの表面に貼着されていると共に、前記フロント側ユニットの下部には正面視して逆Ｄ字状の挿入口を備えた挿入孔が形成され、該フロント側ユニットは該挿入孔及びこれに連通する前記ドアの１個の貫通孔に、軸線方向に内孔が形成された雄ねじロッドが挿入されて止めナットで前記ドアに堅固に固着され、
前記フロント側及びリア側ユニット間に、該フロント側ユニットの表面側にキー差し口を向けて配置された非常解錠用錠が配置され、しかも、該非常解錠用錠は、前記ドアに穿孔された前記１個の貫通孔に挿着される前記雄ねじロッドと、該雄ねじロッドの内孔に遊挿されて周方向に回動可能な操作ロッドを有する錠本体と、前記ドアの裏面から突出する操作ロッドの先端部に取付けられた操作片と、前記止めナットを有し、
更に、前記雄ねじロッドの一側部は切欠きされて、前記ドアの貫通孔との間に、前記フロント側及びリア側ユニットを電気的に接続するリード線類のリード線類挿通孔が形成されていることを特徴とする自動ロック装置。
【請求項２】
請求項１記載の自動ロック装置において、前記非常解錠用錠の非常解錠キーが、前記リモコンに着脱可能に装着されていることを特徴とする自動ロック装置。
【発明の詳細な説明】
【０００１】
【発明の属する技術分野】
本発明は、自動ロック装置に係り、更に詳しくは、例えば玄関ドアなどに装備されて、玄関ドアを自動的にロックできる自動ロック装置に関する。
【０００２】
【従来の技術】
近年、不法な住居侵入者から家族や財産を守るホームセキュリティーの重要性が叫ばれている。その目的を達成する一つのアイテムとして、自動ロック装置が開発されている。
自動ロック装置は、一定時間経つと、施錠忘れの閉ドアを自動的に施錠してくれる装置であり、ドアの表面に固着されて、暗証番号を入力するテンキーが付いたフロント側ユニットと、ドアの裏面に固着されて、壁側の掛止金具に抜き差しされる施錠部材を有するリア側ユニットとを備えている。なお、リア側ユニットには、ドア閉状態を検知するために、接触式のリミットスイッチか、同じく接触式のマグネットとリードスイッチとの組み合わせなどが配備されている。
ドア開時、テンキーの操作により暗証番号を入力すると、リア側ユニットに収納されたソレノイドのロッドが引き込み、これにより施錠部材がリア側ユニット内に引き戻されて、ドアを開くことができる。
ドア開後、再びドア閉状態になると、それをリミットスイッチや、マグネットとリードスイッチとの組み合わせなどのドア閉検知手段が検知し、自動的にソレノイドのロッドを突出させて、施錠部材によりドアが施錠される。
【０００３】
【発明が解決しようとする課題】
しかしながら、このような従来手段の自動ロック装置においては、自動ロック装置には欠かせないドア閉状態の検知手段として、いずれも接触式のものであるリミットスイッチや、マグネットとリードスイッチとの組み合わせのものが採用されていたので、自動ロック装置の施工時には、ドアにフロント側及びリア側ユニットを固着するだけでなく、ドアが取り付けられる建物壁にも、リミットスイッチの一方か、リードスイッチ又はマグネットの何れかを取り付けなければならず、施工をさらに面倒にするという問題点があった。
また、従来の自動ロック装置は、施錠式のドアノブと同様に、ドアの側面から施錠部材を突出する構造であり、しかもフロント側ユニットとリア側ユニットとの間で、厚肉なドアを介して、リード線やコネクタが複雑に入り込む配線がとられていたので、施工時に、例えばドアの側縁部の一部を切欠いたり、ドアの側面に深い凹部を刻設したりしており、自動ロック装置の施工に時間と手間がかかって面倒であった。
さらに、従来の自動ロック装置では、解錠操作がフロント側ユニットに設けられたテンキー操作であるために面倒であると共に、暗証番号を忘れたら解錠できないという問題点があった。
本発明はかかる事情に鑑みなされたもので、施工の容易性が図れ、しかも解錠入力操作を簡略化でき、暗証番号を忘れても解錠可能な自動ロック装置を提供することを目的とする。
【０００４】
【課題を解決するための手段】
前記目的に沿う請求項１記載の自動ロック装置は、暗証番号入力用のテンキーを有して、ドアの表面に取り付けられるフロント側ユニットと、
進退可能な施錠部材、該施錠部材の施錠解錠手段及びドア閉検知手段を有して、前記ドアの裏面に取り付けられるリア側ユニットと、
前記フロント側又はリア側ユニットに設けられて、装置全体を制御するマイクロコンピュータ付きの制御部とを備え、
前記ドア閉検知手段からの検知信号に基づいて、前記施錠解錠手段を作動させることにより、前記施錠部材を外部突出させて、ドア閉状態の前記ドアを自動的に施錠する自動ロック装置であって、
前記ドア閉検知手段が、前記ドアの側縁部に配設された発光部及び受光部を有する反射型の光センサであり、
また、少なくとも前記フロント側ユニットには解錠光信号受光部が設けられ、リモコンの解錠光信号発光部から前記解錠光信号受光部に向かって、特定の光信号を送ることにより、前記施錠解錠手段を作動させて、前記施錠部材の解錠操作を行ない、
前記フロント側ユニットは両面テープを用いて前記ドアの表面に貼着されていると共に、前記フロント側ユニットの下部には正面視して逆Ｄ字状の挿入口を備えた挿入孔が形成され、該フロント側ユニットは該挿入孔及びこれに連通する前記ドアの１個の貫通孔に、軸線方向に内孔が形成された雄ねじロッドが挿入されて止めナットで前記ドアに堅固に固着され、
前記フロント側及びリア側ユニット間に、該フロント側ユニットの表面側にキー差し口を向けて配置された非常解錠用錠が配置され、しかも、該非常解錠用錠は、前記ドアに穿孔された前記１個の貫通孔に挿着される前記雄ねじロッドと、該雄ねじロッドの内孔に遊挿されて周方向に回動可能な操作ロッドを有する錠本体と、前記ドアの裏面から突出する操作ロッドの先端部に取付けられた操作片と、前記止めナットを有し、
更に、前記雄ねじロッドの一側部は切欠きされて、前記ドアの貫通孔との間に、前記フロント側及びリア側ユニットを電気的に接続するリード線類のリード線類挿通孔が形成されている。
なお、ここでいう、反射型の光センサとしては、例えば赤外線やレーザ光線などの受発光を伴う光センサなどが挙げられる。また、リモコンの解錠光信号発光部に対応する解錠光信号受光部は、フロント側ユニットだけでなくリア側ユニットに設けてもよい。
【０００５】
請求項２記載の自動ロック装置は、請求項１記載の自動ロック装置において、前記非常解錠用錠の非常解錠キーを、前記リモコンに着脱可能に装着するようにした。
【０００６】
【０００７】
【作用】
請求項１、２記載の自動ロック装置においては、ドアを閉めると、ドア閉検知手段がドア閉状態を検知し、その検知信号を制御部に送ることにより、制御部から施錠解錠手段に施錠指令が出され、これにより施錠解錠手段が施錠部材を突出させて、ドア閉状態のドアを自動的に施錠する。
この際、ドア閉検知手段である反射型の光センサがリア側ユニットに設けられているので、例えば従来のリミットスイッチのような接触式のドア閉検知手段では、施工時に、ドア側と壁側との間でリミットスイッチ及びその当接部材の位置合わせが必要であったのが、本手段ではそれが不要になって、光センサを有するリア側ユニットをドアに取り付けるだけでよく、施工が容易になる。
また、解錠時に、解錠光信号発光部付きのリモコンを操作して、特定の光信号を解錠光信号受光部に向かって発射すると、その特定の光信号に基づき、制御部から施錠解錠手段に解錠指令が出され、これにより施錠解錠手段が施錠部材を引き込ませて、ドアの施錠状態を解除する。
【０００８】
さらに、施工時、フロント側ユニットは、ドアに１個だけ形成された貫通孔を介して、雄ねじロッドの先端部と、止めナットとを螺合することにより、ドアの表面に堅固に固定される。なお、ここでいう雄ねじロッドとは、非常解錠用錠の一部を構成するロッドである。
施工時に、フロント側、リア側ユニットをリード線類により電気的に接続する際には、ドアに穿孔された１個の貫通孔と、雄ねじロッドの一側部との間に形成されたリード線類挿通孔を通過してリード線類が接続されるので、従来手段の施工時のように、リード線類の接続のために、ドアの側縁部の一部を大きく切欠いたり、ドアの側面に凹部を刻設するといった大がかりな作業が不要になる。
特に、請求項２記載の自動ロック装置においては、例えばテンキーによる解錠の暗証番号を忘れ、かつリモコンが電池切れの場合、リモコンから非常解錠キーを外して、この非常解錠キーによりフロント側ユニットの非常解錠用錠を解錠すれば、ドアを開けられる。
【０００９】
【発明の効果】
請求項１、２記載の自動ロック装置においては、このようにドア閉検知手段に、リア側ユニットに設けられた反射型の光センサを採用したので、施工時には、非接触式ドア閉検知手段を有するリア側ユニットをドアに取り付けるだけでよく、施工が容易になる。
また、解錠時には、リモコンから特定の光信号をフロント側ユニットの解錠光信号受光部に発射して、施錠解錠手段により施錠部材を引き込ませ、ドアの施錠状態を解除するようにしたので、解錠入力操作を簡略化でき、暗証番号を忘れても解錠できる。
【００１０】
さらに、不法侵入者などが簡単に外せないように、ドアの表面に堅固に固着させる必要のあるフロント側ユニットを、ドアに形成された１個の貫通孔を介して、雄ねじロッド及び止めナットの螺合構造体により堅固に固着できる。
また、フロント側ユニットとリア側ユニットとを電気的に接続するリード線類は、雄ねじロッド及びドアの貫通孔間に形成されたリード線類挿通孔を介して挿通されるので、従来のようにドアの側縁部の一部を大きく切欠いたり、ドアの側面に深い凹部を形成する必要がなくなり、施工時に問題となるドアの傷つけが貫通孔の１個だけになり、かつ施工も容易になる。
さらに、雄ねじロッドを非常解錠用錠を構成する部品としたので、非常解錠用錠を有する自動ロック装置の施工性が向上する。
特に、請求項２記載の自動ロック装置においては、例えば暗証番号を忘れ、リモコンも故障している場合でも、リモコンから非常解錠キーを外して、フロント側ユニットの非常解錠用錠を利用し、直接、非常解錠できる。
【００１１】
【発明の実施の形態】
続いて、添付した図面を参照しつつ、本発明を具体化した実施の形態につき説明し、本発明の理解に供する。なお、説明中、上、下方向とは、ドアに組み付けた状態での自動ロック装置の方向をいい、フロント側、リア側ユニットの各部品における表、裏面は、各ユニットのそれぞれにおいて、ドアへの取り付け側の面を裏面、ドアへの取り付け側の面に対する反対側の面を表面とする。
ここに、図１は本発明の一実施の形態に係る自動ロック装置の組み付け状態の斜視図、図２は同組み付け状態の正面図、図３は同組み付けされたリア側ユニットの拡大斜視図、図４は同非常解錠用錠の分解斜視図、図５は同リア側ユニットの分解拡大背面図、図６は同フロント側ユニットの分解拡大背面図、図７は同制御部のブロック図、図８は同解錠操作のフローチャート、図９は同暗証番号書き換え操作のフローチャート、図１０は同ＩＤ番号書き換え操作のフローチャートである。
【００１２】
図１に示すように、本発明の一実施の形態に係る自動ロック装置１０は、ドア取り付け壁側の一例である建物壁１１の出入口に取り付けられたドア１２の表面に締着されて、暗証番号入力用のテンキー１３が配設されたフロント側ユニット１４と、施錠部材１５、この施錠部材１５の施錠解錠手段の一部を構成するソレノイド１６（図５参照）及びドア閉検知手段の一例である反射型の光センサ１７が配設されたリア側ユニット１８とを備え、光センサ１７の検知信号に基づき、制御部７０（図７参照）から指令が出て、ソレノイド１６により施錠部材１５を突出させ、ドア閉状態のドア１２を自動的に施錠する装置である。以下、各構成部品ごとに詳細に説明する。
【００１３】
フロント側ユニット１４は、開口された裏面が裏板１９により封止された縦長で厚肉のフロントケーシング２０を本体としており、フロントケーシング２０の表側には、上端部がヒンジ２１により垂直回動可能に軸着されたテンキー蓋２２が取り付けられている。
テンキー蓋２２の上部中央には、裏面に偏光フィルタ２２ａが貼着された楕円形の透光孔２２ｂが形成されており、テンキー１３はフロントケーシング２０の表側の中央部一帯に配列されている。また、フロントケーシング２０の表側の上部に、解錠用のリモコン２３の解錠光信号発光部２３ｄからの特定の光信号であるＩＤ番号の光信号２４を感知する解錠光信号受光部２５の入光口２５ａと、解錠を視覚的に知らせる室外解錠ランプ２６とが配設されている。
図６に示すように、フロントケーシング２０の裏面に、広範囲に陥没形成された凹部の裏面には、テンキー１３及び解錠光信号受光部２５が表面にボンディングされた、フロント側基板４０が固着されている。なお、フロント側基板４０の裏面には、警報ブザー４１が搭載されており、基板回路の端子から延びた長尺な多数本のリード線４２用の先端には、横長の雄コネクタ４３が接続されている。
【００１４】
フロントケーシング２０の下部には、通常時、蓋２７により着脱可能に蓋止めされた非常解錠用錠２８の差し込み口である、正面視して逆Ｄの字形の挿入口２９が形成されている（図４、６も参照）。非常解錠用錠２８は、例えば暗証番号を忘れ、かつリモコン２３の故障や電池切れした場合などに、リモコン２３の裏面のキー収納凹部２３ａに、掛止金具２３ｂを介して着脱可能に掛止された非常解錠キー３０により、解錠できる。なお、リモコン２３の表面には、ＩＤ番号の光信号２４用の発光ボタン２３ｃが設けられている（図２参照）。
図４に示すように、非常解錠用錠２８は、内孔３１が形成された断面逆Ｄの字形の雄ねじロッド３２と、内孔３１の表側の端部内に挿入される錠本体３３とを有している。
錠本体３３には、キー差し口３３ｂに差し込まれた非常解錠キー３０の回動に伴って周方向に回動される、細長い角柱状の操作ロッド３３ａが取り付けられている。操作ロッド３３ａの長さは、雄ねじロッド３２への装着状態で、その先端部が、若干外部に突出する長さであり、その突出した先端面に、ソレノイド１６のロッド１６ａを強制的に引き込ませ、施錠部材１５による施錠状態を解除する、非常解錠用の操作片５０ａが、ビス５１ａにより締着されている（図５参照）。また、雄ねじロッド３２及び錠本体３３の表面側の端部には、それぞれ外径が挿入口２９の直径と同じになった偏心フランジ３４、シリンダフランジ３５が、一体形成されている。
【００１５】
雄ねじロッド３２は、フロント側ユニット１４の挿入口２９と、ドア１２の一側縁部に穿設された１個の円筒形の貫通孔１２ａに挿入されるもので、貫通孔１２ａからドア１２の裏側に突出した雄ねじロッド３２の先端部に、リング状の止めナット３６を螺合することで、フロント側ユニット１４が簡単にドア１２に固着される。この際、雄ねじロッド３２は、貫通孔１２ａの形成周面との間で断面円弧形のリード線類挿通孔３２ａを形成させた状態で挿通されている。
リード線類挿通孔３２ａは、フロント側基板４０から延びたリード線４２の先部を、その先端の雄コネクタ４３と共に、リア側ユニット１８側へと導く孔である。なお、両面テープを用いて、フロント側ユニット１４をドア１２の表面に貼着すれば、さらにフロント側ユニット１４を堅固に固着できる。
フロント側ユニット１４の裏板１９には、ドア１２の貫通孔１２ａと同一直径の挿入孔１９ａが形成されており（図５参照）、前記雄コネクタ４３付きのリード線４２が、この断面円形の挿入孔１９ａ及びドア１２の貫通孔１２ａと、断面逆Ｄの字形の雄ねじロッド３２との隙間を通って、リア側ユニット１８の裏板３７に固着されたリア側基板３８に搭載された雌コネクタ４４に接続されている。リア側基板３８の表面には、自動ロック装置１０の制御部７０のマイクロコンピュータを構成するＣＰＵ３９がボンディングされている。
【００１６】
図３に示すように、前記リア側ユニット１８は、開口された裏面が、裏板３７により封止された縦長で厚肉のリアケーシング５０を本体としており、リアケーシング５０の表側の略下半分には、その内部に収納された電池収納部５１の蓋体５２が、着脱可能に取り付けられている。電池収納部５１は乾電池５３を４本収納でき、電池収納部５１の上部両側には、リモコン２３からの光信号で書き換えられるＩＤ番号書き換えボタン５４と、テンキー１３の操作により書き換えられる暗証番号書き換えボタン５５が配設されている。ＩＤ番号書き換えボタン５４は、ＩＤ番号の光信号２４の内容であるＩＤ番号のコードを書き換えるための制御部７０の回路切り換えボタンである。
また、リアケーシング５０の表面の中央部より若干上側には、室内から施錠部材１５の施錠状態を解除する室内解錠ボタン５６と、リモコン２３からのＩＤ番号の光信号２４を感知する解錠光信号受光部５７と、バッテリーチャージランプ５８と、長ピン５９の先で押せば、回路内に組み込まれた施錠タイマーを解除して、もう一度押されるまで無制限に解錠し続ける強制ドア開ボタン６０とが配列されている。これは、例えば荷物を室内外に出し入れさせる際に都合が良い。
【００１７】
図５に示すように、裏板３７の上端部のドア１２の側縁部側には、施錠部材１５のスライドガイド６１が固着されており、その側方に配置されたソレノイド１６のロッド１６ａを出し入れさせることにより、施錠部材１５が、施錠解錠手段の他の構成部品であるスプリング６２の付勢力に抗して、スライドガイド６１にガイドされながら、ドア１２の側方に出し入れされる。建物壁１１の出入口側の室内側には、施錠部材１５の先端部の当たり金具６３がビス止めされている（図１〜３参照）。
また、図５の二点鎖線に示すように、スライドガイド６１の表面には、フランジ１５ａによる接触子６６ａの押圧状態が解除されることにより、施錠部材１５の解錠状態を検知するリミットスイッチ６６が固着されている。そして、スライドガイド６１のドア１２の側縁部側の面には、施錠部材１５の両側部に跨がって、光センサ１７の発光部１７ａ及び受光部１７ｂが埋設されている（図１、３参照）。
ドア閉時、発光部１７ａからの赤外線は、建物壁１１の側面や表面に反射し、その反射光が受光部１７ｂに入射するが、ドア開時、発光部１７ａからの赤外線は、検知距離内に反射する障害物がないので、受光部１７ｂは何も検知しない。このようにして、光センサ１７によりドア閉状態が検知される。
【００１８】
同じく図５に示すように、裏板３７のソレノイド１６の取り付け部より中央部側には、非常解錠用錠２８の先端部を挿通させる大きな逃がし孔６４が形成されている。また、ソレノイド１６のやや下方には、施錠部材１５の元部のフランジ１５ａに掛止された略逆Ｌ字形の非常解錠操作板ばね６５が配置されている。非常解錠操作板ばね６５の元部は、リア側基板３８の上部付近の裏板３７の表面に固着されたブロック片６５ａに固着されている。
非常解錠操作板ばね６５は、回動された前記操作片５０ａの先端部により矢印方向に押し込まれることで、非常解錠操作板ばね６５の屈曲した先端部が、ロッド１６ａの突出力に抗して、フランジ１５ａをソレノイド１６側に押し込み、施錠部材１５を強制解錠させる。次に、図７を参照して自動ロック装置１０の制御部７０を詳細に説明する。
【００１９】
制御部７０は、ＣＰＵ３９を中心にして、入、出力インターフェイス変換器７１、７２と、情報（テンキー１３からの暗証番号、リモコン２３からのＩＤ番号）を電気的に読み書きできるＥ2 ＰＲＯＭ７３、ＲＡＭ７４及びＲＯＭ７５が接続されている。
入力インターフェイス変換器（入力Ｉ／Ｆ変換器）７１には、テンキー１３、光センサ１７の受光部１７ｂ、フロント側ユニット１４の解錠光信号受光部２５、ＩＤ番号書き換えボタン５４、暗証番号書き換えボタン５５、室内解錠ボタン５６、リア側ユニット１８の解錠光信号受光部５７、強制ドア開ボタン６０及びリミットスイッチ６６が接続されており、また出力インターフェイス変換器（出力Ｉ／Ｆ変換器）７２には、ソレノイド１６、室外解錠ランプ２６、警報ブザー４１、バッテリーチャージランプ５８が接続されている。
【００２０】
テンキー１３、室内解錠ボタン５６、リモコン２３の発光ボタン２３ｃ及び強制ドア開ボタン６０の各々から制御部７０に個別に入力されると、その各解錠信号は、まず入力インターフェイス変換器７１によりＩ／Ｆ変換されて、ＣＰＵ３９へ入力される。その後、ＣＰＵ３９からの解錠系の指令が、出力インターフェイス変換器７２によりＩ／Ｆ変換されて、室外解錠ランプ２６、警報ブザー４１及びソレノイド１６へ出力される。
具体的には、ソレノイド１６のロッド１６ａが引き戻されて、施錠部材１５による施錠状態が解除され、その解錠状態を、室外に視覚的及び聴覚的に知らせるために室外解錠ランプ２６を点灯させ、警報ブザー４１を鳴らす。なお、警報ブザー４１の警報音の鳴らし方、例えば長、短音の違いなどは、入力側のどのボタン１３、２３ｃ、５６、６０を押したかにより、若干異なる。
【００２１】
続いて、本発明の一実施の形態に係る自動ロック装置１０の動作を、図８〜１０に示すフローチャートに基づいて説明する。まず、図８を参照して解錠操作を詳細に説明する。
図８に示すように、ステップＳ１のスタート後、ステップＳ２において解錠操作が行なわれる。ステップＳ２の解錠操作は、ステップＳ３のリモコン２３による入力操作と、ステップＳ４のテンキー１３による暗証番号入力操作と、ステップＳ５の室内解錠ボタン５６による入力操作と、ステップＳ６の強制ドア開ボタン６０による入力操作とに分かれる。まず、ステップＳ３のリモコン２３による入力操作について説明する。
【００２２】
ステップＳ７において、リモコン２３によるＩＤ番号の光信号２４を、解錠光信号受光部２５又は５７が受光したか否かが判断され、受光した場合にはステップＳ８に進む。
ステップＳ８において、ソレノイド１６のロッド１６ａが引き戻され、これにより、スプリング６２の付勢力で非常解錠用錠２８が引き込まされて解錠される。
ステップＳ９において、この解錠状態であることを、室外にいる人に、室外解錠ランプ２６を点灯させて視覚的に知らせ、それからステップＳ１０に進む。
ステップＳ１０は、乾電池５３が低電圧であるか否かが判断され、低電圧であればステップＳ１１に進み、バッテリーチャージランプ５８を点灯させてステップＳ１２に進む。なお、低電圧でない場合には、直接、ステップＳ１２に進む。
【００２３】
ステップＳ１２において、内蔵されたタイマーにより、解錠後、１０秒間が経過したか否かが判断され、１０秒間が経過した場合にはステップＳ１５に進み、経過していない場合には、ステップＳ１３、Ｓ１４に、順次、進む。
ステップＳ１３において、光センサ１７により、ドア１２がドア開の状態か否かが判断され、ドア開の場合にはステップＳ１４に進み、そうでない場合にはステップＳ１２に戻り、ドア１２が開くのを待つ。
ステップＳ１４において、ドア１２が閉まっている場合には、ステップＳ１５に進んでソレノイド１６のロッド１６ａを突出させて、施錠部材１５によるドア１２の施錠状態を復帰させ、ステップＳ１６に進む。
また、ドア１２が閉まっていない場合には、タイマーにより、さらに１０秒間が経過したか否かが判断され（ステップＳ１７）、１０秒間が経過後は、ステップＳ１８において、警報ブザー４１によりドア１２の閉じ忘れ警報を発生させる。そして、１０秒間が経過していない場合には、ステップＳ１４に戻る。
【００２４】
ステップＳ１６において、施錠部材１５が突出して確実に施錠されたか否かを、リミットスイッチ６６により確認し、確認がとれた場合には、元の解錠操作Ｓ２の位置まで戻り、リミットスイッチ６６による確認がとれない場合には、ステップＳ１９に進み、警報ブザー４１により警報音を発し、さらにステップＳ２０に進み、タイマーにより１０秒間経ったら、ステップＳ１５に戻って、再びソレノイド１６のロッド１６ａを突出させて、施錠状態を確認する。次に、ステップＳ４のテンキー１３による暗証番号操作の場合を説明する。
【００２５】
ステップＳ４の暗証番号操作の場合にはステップ２１に進み、テンキー１３により暗証番号が入力されたか否かが判断され、入力された場合には、前記ステップＳ８に進み、以下、リモコン２３による入力操作の場合と同様の操作が行なわれる。
続いて、ステップＳ５の室内解錠ボタン５６による解錠操作の場合を説明する。
ステップＳ５の室内解錠ボタン５６を用いた解錠入力操作の場合には、ステップＳ２２に進み、室内解錠ボタン５６が押されるとステップＳ８に進む。以下、リモコン２３及び暗証番号入力操作の場合と同様の操作が行なわれる。
【００２６】
さらに、前記ステップＳ６の強制ドア開ボタン６０を用いた解錠操作の場合には、ステップＳ２３に進んで、強制ドア開ボタン６０により入力されたか否かが判断され、入力された場合には、ステップＳ２４に進み、ソレノイド１６のロッド１６ａが引き戻されて、施錠部材１５による施錠状態が解除される。
それから、ステップＳ２５に進んで、室外解錠ランプ２６を点灯させ、ステップＳ２６に進む。
ステップＳ２６において、乾電池５３が電池切れに近い状態であるか否かが判断され、充分に電池がある場合にはステップＳ２８に進み、電池切れに近い場合には、ステップＳ２７に進んでバッテリーチャージランプ５８を点灯させた後、ステップＳ２８に進む。
【００２７】
ステップＳ２８においては、タイマーにより、１０秒間の解錠時間が経過したか否かが判断され、経過した場合にはステップＳ３１に進み、経過していない場合にはステップＳ２９に進む。ここでは、ドア１２が開いているか否かが判断され、開いていればステップＳ３０に進み、ドア１２が開いていなければステップＳ２８に戻る。
ステップＳ３０において、ドア１２のドア閉状態が確認されると、ステップＳ３１に進み、ソレノイド１６のロッド１６ａを突出させて、施錠部材１５による施錠状態を復帰させる。
その後、ステップＳ３３において、リミットスイッチ６６による施錠状態が確認され、確認された場合にはステップＳ２の解錠操作の位置まで戻り、確認されなければステップＳ３２に進んで、警報ブザー４１によりブザー警報を鳴らしてから、ステップＳ３４において、ドア閉にかかるであろう１０秒間の時間を確認した後、ステップＳ３１に戻る。
【００２８】
次に、図９、１０のフローチャートを参照して、テンキー１３による暗証番号書き換え操作と、リモコン２３によるＩＤ番号書き換え操作とについて詳細に説明する。まず、暗証番号書き換え操作を説明する。
図９に示すように、ステップＳ４０のスタート後、ステップＳ４１において室内解錠ボタン５６により入力があると、ステップＳ４２に進む。
ステップＳ４２において、手動によりドア１２が開かれ、次いでステップＳ４３において、テンキー１３による４桁の暗証番号が入力されると、ステップＳ４４に進む。
ステップＳ４４において、リア側ユニット１８の蓋体５２を外すことにより露出される暗証番号書き換えボタン５５からの入力操作があったか否かが判断される。入力があった場合にはステップＳ４７に進み、なかった場合には、ステップＳ４５に進む。
【００２９】
ステップＳ４７において、制御部７０のＥ2 ＰＲＯＭ７３に新しい暗証番号が登録され、その後、ステップＳ４８に進んで、室外解錠ランプ２６が点灯され、ステップ４９に進む。
ステップ４９において、手動でドア１２が閉じられたのを光センサ１７が感知したら、ステップＳ５０に進んで室外解錠ランプ２６が消灯され、それからステップＳ５１に進んで一連の操作が終了し、ステップＳ４０のスタート直後に戻る。
なお、ステップＳ４４において、暗証番号書き換えボタン５５の入力操作がなかった場合には、ステップＳ４５に進み、タイマーによる１５秒間という、登録されていた暗証番号のクリア開始待ち時間が経過した後、ステップＳ４６において、登録されていた４桁の暗証番号がクリアされる。クリア後はステップＳ４３に進み、前述した暗証番号の入力操作から順次行なわれる。
【００３０】
次に、図１０を参照して、リモコン２３によるＩＤ番号書き換え操作を説明する。
図１０に示すように、ステップＳ６０のスタート後、ステップＳ６１において室内解錠ボタン５６が入力されると、ステップＳ６２に進む。
ステップＳ６２において、手動によりドア１２が開かれ、その後、ステップＳ６３において、リア側ユニット１８のＩＤ番号書き換えボタン５４により入力されるのを待つ。入力された場合にはステップＳ６４に進む。
ステップＳ６４では、バッテリーチャージランプ５８の点灯が行なわれる。すなわち、暗証番号書き換え操作においては、室外解錠ランプ２６の点灯が暗証番号の登録終了を知らせる手段となっていたが、ここではバッテリーチャージランプ５８の点灯後の消灯が、ＩＤ番号の光信号２４の根幹となるＩＤ番号の登録終了を知らせる手段となっている。
それからステップＳ６５に進んで、リモコン２３からのＩＤ番号のコード転送が行なわれたか否かが判断される。転送された場合にはステップＳ６８に進み、転送されていない場合には、ステップＳ６６に進む。
【００３１】
ステップＳ６８において、制御部７０のＥ2 ＰＲＯＭ７３に新しいテンキーコードが登録され、その後、ステップＳ６９に進んで、バッテリーチャージランプ５８が消灯され、ステップＳ７０に進む。
ステップＳ７０において、手動によりドア１２が閉じられたのを光センサ１７が感知したら、ステップＳ７１に進んで終了し、ステップＳ６０のスタート直後に戻る。
なお、ステップＳ６５において、ＩＤ番号の転送がなかった場合には、ステップＳ６６に進み、タイマー計測による５秒間という、登録されていたＩＤ番号のクリア開始待ち時間が経過した後、ステップＳ６７において、登録されていたＩＤ番号がクリアされる。その後はステップＳ６８に進み、白紙のコードが登録される。以下、前述したステップＳ６９〜Ｓ７１までの操作が順次行なわれる。
【００３２】
次に、図１、５を参照して非常解錠用錠２８による非常解錠操作を説明する。
図１に示すように、施錠部材１５を非常解錠する場合には、フロント側ユニット１４の蓋２７を外し、露呈された錠本体３３のキー差し口３３ｂに、非常解錠キー３０を差し込んで解錠方向に回動させる。これにより、操作ロッド３３ａが同方向に回動して、図５に示すように操作片５０ａが実線位置から二点鎖線位置まで立ち上がり、非常解錠操作板ばね６５の先部が押し上げられる。これに伴って、当たり金具６３側へ突出していた施錠部材１５は、そのフランジ１５ａが、ソレノイド１６のロッド１６ａの突出力に抗して、強制的に二点鎖線位置まで移動されることにより、施錠状態が解除される。なお、引き戻されたロッド１６ａは、周知手段により、引き戻し位置で自動掛止される。
【００３３】
このように、ドア１２のドア閉検知手段として光センサ１７を採用したので、ドア１２の施工時には、光センサ１７が内蔵されたリア側ユニット１８をドア１２の側縁部に取り付けるだけでよく、従来のリミットスイッチ形式の自動ロック装置のように、施工時に、ドア側と壁側との間に、リミットスイッチとその当接部材の位置合わせをしなくてもよく、ドア１２の施工が容易になる。
また、解錠時には、リモコン２３からＩＤ番号の光信号２４をフロント側ユニット１４の解錠光信号受光部２５又はリア側ユニット１８の解錠光信号受光部５７に発射して、ソレノイド１６により施錠部材１５を引き込ませ、ドア１２の施錠状態を解除するようにしたので、室内、外からの解錠入力操作を簡略化でき、暗証番号を忘れても解錠できる。
【００３４】
さらに、例えば暗証番号を忘れ、リモコン２３も故障中のような場合でも、リモコン２３から非常解錠キー３０を外して、フロント側ユニット１４の非常解錠用錠２８を利用し、直接、非常解錠できる。
そして、非接触式ドア閉検知手段を、発光部１７ａと受光部１７ｂとを有する光センサ１７としたので、発光部１７ａからの光がドア１２の面に反射し、その反射光を受光部１７ｂが受光することにより、ドア閉状態を略確実に検知でき、しかも設置が簡単でかつ比較的低コストで提供できる。
また、フロント側ユニット１４を、非常解錠用錠２８の雄ねじロッド３２と、止めナット３６により、ドア１２の１個の貫通孔１２ａを介して、また雄コネクタ４３を、雄ねじロッド３２の切欠き部からリア側ユニット１８側に通すようにしたので、従来のようにドア１２の側縁部の一部を大きく切欠いたり、ドア１２の側面に深い凹部を形成する必要がなくなり、施工時に問題になるドア１２の傷つけが、貫通孔１２ａの１個だけとなって、施工が容易になる。
【図面の簡単な説明】
【図１】本発明の一実施の形態に係る自動ロック装置の組み付け状態の斜視図である。
【図２】同組み付け状態の正面図である。
【図３】同組み付けされたリア側ユニットの拡大斜視図である。
【図４】同非常解錠用錠の分解斜視図である。
【図５】同リア側ユニットの分解拡大背面図である。
【図６】同フロント側ユニットの分解拡大背面図である。
【図７】同制御部のブロック図である。
【図８】同解錠操作のフローチャートである。
【図９】同暗証番号書き換え操作のフローチャートである。
【図１０】同ＩＤ番号書き換え操作のフローチャートである。
【符号の説明】
１０  自動ロック装置                １１  建物壁
１２  ドア                          １２ａ  貫通孔
１３  テンキー                      １４  フロント側ユニット
１５  施錠部材                      １５ａ  フランジ
１６  ソレノイド                    １６ａ  ロッド
１７  光センサ                      １７ａ  発光部
１７ｂ  受光部                      １８  リア側ユニット
１９  裏板                          １９ａ  挿入孔
２０  フロントケーシング            ２１  ヒンジ
２２  テンキー蓋                    ２２ａ  偏光フィルタ
２２ｂ  透光孔                      ２３  リモコン
２３ａ  キー収納凹部                ２３ｂ  掛止金具
２３ｃ  発光ボタン                  ２３ｄ  解錠光信号発光部
２４  ＩＤ番号の光信号              ２５  解錠光信号受光部
２５ａ  入光口                      ２６  室外解錠ランプ
２７  蓋                            ２８  非常解錠用錠
２９  挿入口                        ３０  非常解錠キー
３１  内孔                          ３２  雄ねじロッド
３２ａ  リード線類挿通孔            ３３  錠本体
３３ａ  操作ロッド                  ３３ｂ  キー差し口
３４  偏心フランジ                  ３５  シリンダフランジ
３６  止めナット                    ３７  裏板
３８  リア側基板                    ３９  ＣＰＵ
４０  フロント側基板                ４１  警報ブザー
４２  リード線                      ４３  雄コネクタ
４４  雌コネクタ                    ５０  リアケーシング
５０ａ  操作片                      ５１  電池収納部
５１ａ  ビス                        ５２  蓋体
５３  乾電池                        ５４  ＩＤ番号書き換えボタン
５５  暗証番号書き換えボタン        ５６  室内解錠ボタン
５７  解錠光信号受光部              ５８  バッテリーチャージランプ
５９  長ピン                        ６０  強制ドア開ボタン
６１  スライドガイド                ６２  スプリング
６３  当たり金具                    ６４  逃がし孔
６５  非常解錠操作板ばね            ６５ａ  ブロック片
６６  リミットスイッチ              ６６ａ  接触子
７０  制御部                        ７１  入力インターフェイス変換器
７２  出力インターフェイス変換器    ７３  Ｅ2 ＰＲＯＭ
７４  ＲＡＭ                        ７５  ＲＯＭ
【図１】
0003655958.tif 000002
【図２】
0003655958.tif 000003
【図３】
0003655958.tif 000004
【図４】
0003655958.tif 000005
【図５】
0003655958.tif 000006
【図６】
0003655958.tif 000007
【図７】
0003655958.tif 000008
【図８】
0003655958.tif 000009
【図９】
0003655958.tif 000010
【図１０】
0003655958.tif 000011